(57)【特許請求の範囲】
【請求項１】
練習用装置であって、
第１の重量を有する第１のベース部材と、
第２の重量を有する第２のベース部材と、
前記第１のベース部材から上方に延びる第１の長尺部と、
前記第２のベース部材から上方に延びる第２の長尺部と、を備え、
前記第１の長尺部及び前記第２の長尺部が、共に第３の重量を有し、かつ第４の重量を有する目標部において又は前記目標部により連結され、
前記第１のベース部材が、凸状の下面を有する第１のベース部を備え、
前記第２のベース部材が、凸状の下面を有する第２のベース部を備え、
前記練習用装置の重心が、前記第１のベース部および前記第２のベース部のうちの少なくとも一方の上面より下にあり、前記練習用装置を静止した直立状態に維持し、かつ使用者による前記目標部の攻撃又は押しの後に前記練習用装置を前記直立状態に自動的に戻すことになるように、前記ベース部材の前記第１の重量及び前記第２の重量の合計が、前記長尺部の前記第３の重量及び前記目標部の前記第４の重量の合計より大きく、
前記ベース部の前記凸状の下面も、前記使用者による前記目標部の攻撃又は押しまで前記長尺部を前記直立状態に維持し、
前記第１の長尺部が人間の第１の脚の外観を有する形状とされ、かつ前記第２の長尺部が人間の第２の脚の外観を有する形状とされ、
前記目標部が、人間の鼠蹊部の外観を有する形状とされる、練習用装置。
【請求項２】
前記第１の長尺部及び前記第２の長尺部が、それらの各々のベース部材に連結される、請求項１に記載の練習用装置。
【請求項３】
前記第１の長尺部及び前記第２の長尺部が、それらの各々のベース部材と一体的に形成される、請求項１に記載の練習用装置。
【請求項４】
前記目標部が第３の部分を含む、請求項１に記載の練習用装置。
【請求項５】
前記第３の部分が、人間の胴体の一部又は全部の外観を有する形状とされる、請求項４に記載の練習用装置。
【請求項６】
前記第１のベース部及び前記第２のベース部が、互いに関連して移動可能である、請求項３に記載の練習用装置。
【請求項７】
前記第１のベース部及び前記第２のベース部が、前記練習用装置の収納のために互いに向かって動かされるように配置される、請求項６に記載の練習用装置。
【請求項８】
前記第１のベース部及び前記第２のベース部が、前記目標部を中心として回動するように配置される、請求項６に記載の練習用装置。
【請求項９】
前記ベース部材が中空であり、かつ重量付与のための材料を受け入れるように配置される、請求項１に記載の練習用装置。
【請求項１０】
前記第３の部分が膨張可能である、請求項４に記載の練習用装置。
【請求項１１】
前記第１の長尺部及び前記第２の長尺部が剛性である、請求項１に記載の練習用装置。
【請求項１２】
前記第１の長尺部及び前記第２の長尺部が中空である、請求項１に記載の練習用装置。
【請求項１３】
前記第１の長尺部及び前記第２の長尺部が膨張可能である、請求項１に記載の練習用装置。
【請求項１４】
成人男性の平均体重未満の総重量を有する、請求項１に記載の練習用装置。
【請求項１５】
前記第１の長尺部及び前記第２の長尺部は、前記目標部の攻撃に応答して前記練習用装置が地面から跳ね上がるようにするための手段を備える、請求項１に記載の練習用装置。
【請求項１６】
前記練習用装置が地面から跳ね上がるようにするための前記手段が、前記第１の長尺部及び前記第２の長尺部における少なくとも１つのコイルスプリングを備える、請求項１５に記載の練習用装置。
【請求項１７】
喉元の目標部をさらに含む、請求項１に記載の練習用装置。
【請求項１８】
前記目標部のみがパッドで覆われる、請求項１に記載の練習用装置。
【請求項１９】
フィットネストレーニング用装置を備える、請求項１に記載の練習用装置。
【請求項２０】
護身トレーニング用装置を備える、請求項１に記載の練習用装置。
【発明の詳細な説明】
【技術分野】
【０００１】
本発明は、トレーニング及びフィットネス用装置、特に人体の特定領域に攻撃を加えるための技能訓練に用いる護身トレーニング用装置及び器具に関する。
【背景技術】
【０００２】
多種多様な練習及び器具が、フィットネスの一般的な改善及び／又は減量の支援や、各種スポーツ、特に物理的な接触を要する対人接触型のスポーツ、マーシャルアーツや護身術の分野において、技能及びテクニックの習得及び改善の支援に使用されている。
【０００３】
特に、攻撃のテクニック、例えばキックやパンチを習得し、練習する場合に、攻撃の衝撃を吸収するように設計された器具を使用することが有利である。そのような器具は通常、重量をもったパンチバッグか又は第３者が装着し若しくは着用することができる防護用パッドの形態とされる。
【０００４】
しかしながら、習得される技術は、実生活の状況をより現実的に模擬する環境で練習するのが望ましい場合が多い。このために、様々なダミーやマネキンが開発されており、これらは人体の部分又は全身を真似たものであり、これにより他人に危害を与える虞れなしに護身術を練習し、改善することができる。
【０００５】
例えば、特許文献１にはキックボクシングの練習用装置が記載されており、該装置は、目標部、つまり人体の頭部、頸、胴体の外観をもった目標部を支持する重いベースユニットを含む。
【０００６】
このような既知の装置は全て、マーシャルアーツやボクシングのトレーニングで主として使用するために設計され、頭部や胴体への攻撃に重点を置いている。しかし、護身トレーニング、特に婦女子のための基本的な護身トレーニングには、スポーツや競い合うマーシャルアーツにおいて許可されていない攻撃が幾つか含まれる。その一例は、攻撃者の鼠蹊部に対するキックや上方への膝の素早い動きといった形態での攻撃を含む護身術である。
【０００７】
特許文献２は、空手などにおける護身トレーニングで使用する装置を開示しており、人体のように関節をもつトレーニング用ダミーを含み、これは柱に直立状態に支持され、かつ鼠蹊部を含めた、ダミーの各目標部位に配置された複数の別個の圧力レセプタ（受け部）を有する。この種の装置の不利な点は、装置の重量分布と、鼠蹊部に対するキック攻撃を困難にする支柱の位置である。
【特許文献１】米国特許第６，１１０，０７９号明細書
【特許文献２】米国特許第４，０８８，３１５号明細書
【発明の開示】
【発明が解決しようとする課題】
【０００８】
本発明は、上記した既知の装置及び従来のトレーニング法を超える利点を有する練習用装置を提供しようとするものである。
【０００９】
特に、本発明は護身術をより有効に練習し、訓練することができる練習用装置の提供を目的としており、護身術には特に、男性の身体の鼠蹊部に対する攻撃を含む。
【課題を解決するための手段】
【００１０】
本発明によれば、少なくとも一つのベース部と、該ベース部から上方に延びる第１の長尺部及び第２の長尺部を規定するように配置された手段と、目標部において又は該目標部により連結された前記第１の長尺部及び第２の長尺部とを備え、前記ベース部には、前記長尺部を略直立状態に維持すべく前記長尺部及び目標部に対して、より重量が付与された、練習用装置が提供される。
【００１１】
有利には、前記ベース部がほぼ凸状の下面を有することにより、装置が、使用時に攻撃を受けた後で略直立状態に自ずと復帰することになる。
【００１２】
好ましくは、装置は、ほぼ凸状の下面と、ベース部から上方に延びる前記第１の長尺部を規定するように配置された手段とを有する第１のベース部と、ほぼ凸状の下面と、ベース部から上方に延びる前記第２の長尺部を規定するように配置された手段とを有する第２のベース部とを備えた、第１及び第２のベース部材を有している。２つのベース部、つまり各長尺部に対して１つずつベース部を有することは、攻撃する使用者の足と目標部との間の経路を遮るものが何もないことを意味する。
【００１３】
有利には、装置の重心が第１又は第２のベース部のうちの少なくとも一方の上面の下方とされる。
【００１４】
好ましい実施形態では、第１の長尺部が人体の第１の脚の外観をもつ形状とされ、かつ第２の長尺部が人体の第２の脚の外観をもつ形状とされる。
【００１５】
練習用装置がフィットネス練習ルーチン用の装置又は護身術練習用の装置を成すように適合し得ることは容易に理解される。
【００１６】
前記目標部は人体の鼠蹊部の外観をもつ形状にすることが好ましい。
【００１７】
装置をさらに人体らしく見せるためには、前記目標部が第３の部分、つまり人間の胴体の一部又は全部の外観をもつ形状とされた部分を含むことが好ましい。
【００１８】
有利には、第１のベース部及び第２のベース部が互いに移動可能であって、好ましくは装置の収納のために互いに近づく方向に移動する構成とする。第１のベース部及び第２のベース部が前記目標部を中心として回動する構成とすることが好ましい。
【００１９】
第１のベース部及び第２のベース部は、中実の重量付与のための材料で形成することができるが、好ましくはこれらのベース部が中空とされ、重量付与のための量の材料を受け入れる構成とする。
【００２０】
非使用時に装置サイズを最小にするため、前記第３の部分は膨張可能であることが好ましい。
【００２１】
また第１の長尺部及び第２の長尺部を膨張可能としてもよく、あるいはこれらを中実とするか、又は中空にして重量付与のための材料を収容する構成にすることができる。
【００２２】
装置全体を膨張可能にするか、あるいは全装置を中実にしてもよい。
【００２３】
有利には、装置が平均的な成人男性の体重未満の重量を有する。
【００２４】
一実施形態において、第１の長尺部及び第２の長尺部は、前記目標部への攻撃に応答して装置が地面から跳ね上がるようにするための手段、例えば、第１の長尺部及び第２の長尺部におけるコイルスプリングを備えることが好ましい。
【００２５】
鼠蹊の目標部に加えて、装置はまた、喉元の目標部を含んでもよい。
【００２６】
好ましくは、目標部だけがパッドで覆われる。
【００２７】
また、頭部には少なくとも、一対の眼のような顔の特徴部を設けることができる。
【００２８】
本発明について以下では、添付図面を参照しながら一例を挙げて詳説する。
【発明を実施するための最良の形態】
【００２９】
理解されるように本発明は練習用装置を提供し、以下に説明する実施形態では、攻撃者、特に男性の攻撃者から身を守るために通常用いるテクニックの訓練を支援する機能をもった、護身トレーニングの練習用装置を提供する。
【００３０】
本発明は特に、人体部位への攻撃、つまりマーシャルアーツでは伝統的に許されていない鼠蹊部への攻撃ではあるが基本的な自己防御の範囲でその有効性が通常教えられる技術のトレーニングに焦点をおいて装置を専用に設計する場合に有益である。
【００３１】
本明細書で説明する図は、本発明に係る護身トレーニング用装置について特定の実施形態を示すものである。しかし、本発明は、ここで説明する実施形態に限定されないことが明らかであり、その理由は、本発明が各種の適切な材料から作製できることや、固体の重量物又はその他のものを選択して取り付けるための様々な重量付加手段を含めることができるとともに、ほぼ長尺状の形状部を、中央部に対して適切な角度で延びる延長部分に設けることができるからである。
【００３２】
（第１の実施形態）
図１を参照すると、トレーニング用装置１０は、好ましくはダミー又はマネキンの形態とされ、成人男性の身体の全部、又は少なくとも下半身の外観を呈する。
【００３３】
装置１０はベース部１２を備え、該ベース部は下面１４及び上面１６を有する。第１の長尺部１８及び第２の長尺部２０は、上面１６から延びている。第１及び第２の長尺部１８、２０は、人体の脚に似た形状を有することが好ましい。第１及び第２の長尺部１８、２０は第３の部分２２、本例では胴体、頭部及び腕を含む完全な上半身の形状をもつ。また第３の部分２２には目標領域２４が設けられており、これはダミーの鼠蹊部の領域に位置している。目標領域２４は通常、装置１０の他の領域における材料に比して柔らかい材料から形成されており、これは使用者の使い心地を良くするためである。
【００３４】
通常は別に教えられる、攻撃者の気管への基本的な自己防御のための攻撃に関するトレーニング及び練習を支援するために、装置１０の首領域には、さらに別の目標領域を設けてもよい。
【００３５】
本実施形態では、第３の部分２２が胴体、頭部及び腕を備えているが、第３の部分２２の本質的特徴は勿論、人体の鼠蹊部を表す目標領域２４である。
【００３６】
装置１０は自立するように構成される。ベース部１２は装置１０が使用時にほぼ直立した状態を保つように重量配分がなされている。該ベース部１２は中実とされ、任意の適切な材料、例えば木材や金属で形成することができる。これに代えて、ベース部１２を中空とし、充分な重量をもつ流体又は固体、例えば水や砂を収容する構成にしてもよい。
【００３７】
ベース部１２の下面１４は、凸状の丸みを帯びた面からなる。この形状は、装置１０をその通常の状態、つまり使用者によって押され又は攻撃された後で垂直状態へと自動的に戻すことができるという点で有利であり、その前提として、ベース部１２には装置の重心をベース部１２の上部に維持するように、より大きな重量が与えられている。図１の下面１４は、その形状が半球状に示されているが、実際上、任意の丸い形状を用いることができる。
【００３８】
装置１０の重心は、使用時にベース部１２の上面１６の下方にあることが望ましい。この特徴は、ベース部１２の下面１４の丸い、つまり球面状の凸形状を加味した場合に、有利には装置１０が自ら直立することのみならず、装置１０にかかる力とは無関係に直立状態へと常に復帰することを意味する。
【００３９】
（第２の実施形態）
図２は本発明の第２の実施形態を示しており、装置は、単一のベース部ではなく２つの別個のベース部２６、３２を備える。装置１０は、下面２８及び上面３０を有する第１のベース部２６と、下面３４及び上面３６を有する第２のベース部３２を備えている。第１の長尺部１８は第１のベース２６部の上面３０から延び、また第２の長尺部２０は第２のベース部３２の上面３６から延びている。
【００４０】
本発明は、これまでの既知の装置に比べて、人体の鼠蹊部への攻撃に関して、より現実的な経験を提供するように設計される。この点において、装置の使用時には、ベース部２６、３２が互いに離間した距離をもって位置し、この距離は、直立した状態での典型的な人の脚の間隔に近似している。これにより、使用者は、ベース部２６、３２によって妨げられることなく、脚を表す長尺部１８、２０との間に足を上げることができる。好ましくは、ベース部２６、３２との間の距離、従って長尺部１８、２０との間になす角度を調節して、使用者の足で目標２４を攻撃する際の難易度を変更できるようにすることが好ましい。また、第１のベース部２６及び第２のベース部３２は、装置１０の収納のために互いに近接して配置できるようにすることが好ましい。
【００４１】
（第３の実施形態）
図３は本発明の第３の実施形態を示しており、図２の下半身の部分と同じ特徴を有する。本例では、第３の部分２２が目標領域２４のみを備える。これは、より簡単に収納できるように装置１０の物理的なサイズを小さくするのに有利であり、また、製造においてより少ない材料を使用すれば済むため、より安価である。
【００４２】
（第４の実施形態）
図４は本発明に係る膨張可能な装置１０を示す。主要な構成要素は図２に示したものと同じである。外観上の唯一の相違点は、脚を表す２つの長尺部１８、２０が、各々のベース部２６、３２の全面を覆っていることである。これは有利にも長尺部１８、２０の強度を増し、これらが膨張時に、望ましくない程に曲がらないよう防ぐ。
【００４３】
本発明はまた、目標領域２４への攻撃に応答して装置を自動的に動かすための１つ以上の手段を含む。装置１０を自動的に動かすために必要な力は、任意の既知の駆動手段、例えば、ベース部１２、２６、３２又は長尺部１８、２０における１つ以上の電気モータ又はコイルスプリングを使って生成できる。駆動手段は、目標領域２４にあるセンサによって機械的又は電気的に始動させることができる。
【００４４】
自己防御の練習用装置１０は、任意の適切な材料、単一の成形材料又はその他の材料で形成することができる。有利には、装置は、従来のパンチバッグに使用される皮革又はカンバス材料によりその一部又は全体を形成することができる。装置１０又は装置１０の一部はまた、搬送や収納を容易にするために膨張可能にすることもでき、例えば、目標領域２４を備える第３の部分２２だけが膨張可能であるか、あるいは長尺部１８、２０もまた膨張可能にしてもよい。
【００４５】
任意の適切な構造や四肢のサイズ及び形状を装置に与えてもよいことは勿論であり、本発明が前述した詳細部に限定される訳ではない。
【図面の簡単な説明】
【００４６】
【図１】本発明の第１の実施形態に係る装置の一例を示す正面図である。
【図２】本発明の第２の実施形態に係る装置の一例を示す正面図である。
【図３】本発明の第３の実施形態に係る装置の一例を示す正面図である。
【図４】本発明の第４の実施形態に係る装置の一例を示す正面図である。
【図１】
0005469317.tif 000002
【図２】
0005469317.tif 000003
【図３】
0005469317.tif 000004
【図４】
0005469317.tif 000005